【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
収容孔及び装着孔を有するピンボードと、前記ピンボードの片面側に配設され、案内孔を有する保護ボードと、前記ピンボードの前記装着孔に挿入され、その先端部が前記保護ボードの前記案内孔を通して外方に突出するプローブピンと、前記ピンボードの前記収容孔に収容され、前記プローブピンの基部に作用するばね部材と、を備えており、
前記ピンボードは、前記収容孔が設けられた下側ピンボードと、前記下側ピンボードの上側に配設され、前記装着孔が設けられた一対の上側ピンボードと、前記一対の上側ピンボードの間に配設された弾性保持部材と、を備え、前記弾性保持部材がゴムボードから構成され、前記ゴムボードが前記一対の上側ピンボードの前記装着孔内に突出しており、
また、前記プローブピンは細長い円筒形のストレート状であり、
前記ゴムボードは前記プローブピンの外周面を弾性的に保持し、前記プローブピンの基部側が前記一対の上側ピンボードの前記装着孔に案内保持されるとともに、その先端側が前記保護ボードの前記案内孔に案内保持されることを特徴とするプリント配線板の検査治具。
【請求項２】
前記一対の上側ピンボードに設けられた装着孔の内径は実質上等しく、前記ゴムボードの弾性保持部が前記一対の上側ピンボードの前記装着孔内に径方向内方に幾分突出していることを特徴とする請求項１に記載のプリント配線板の検査治具。
【請求項３】
前記ばね部材はコイルばねから構成され、前記コイルばねにリード線が一体的に設けられていることを特徴とする請求項１又は２に記載のプリント配線板の検査治具。
【請求項４】
前記ばね部材はコイルばねから構成され、前記コイルばねにリード線が電気的に接触接続され、前記コイルばねに接触する前記リード線の一端部がフランジヘッド状に形成されていることを特徴とする請求項１又は２に記載のプリント配線板の検査治具。
【請求項５】
前記プローブピンは、細長い円筒状のピン本体と、このピン本体の端部に設けられた小径突部とを備え、前記ピン本体と前記小径突部との間の肩部が、前記コイルばねのためのばね受けとして機能し、前記小径突部が前記コイルばねの端部内周面を支持することを特徴とする請求項３又は４に記載のプリント配線板の検査治具。
【手続補正２】
【補正対象書類名】明細書
【補正対象項目名】０００９
【補正方法】変更
【補正の内容】
【０００９】
本発明の請求項１に記載のプリント配線板の検査治具は、収容孔及び装着孔を有するピンボードと、前記ピンボードの片面側に配設され、案内孔を有する保護ボードと、前記ピンボードの前記装着孔に挿入され、その先端部が前記保護ボードの前記案内孔を通して外方に突出するプローブピンと、前記ピンボードの前記収容孔に収容され、前記プローブピンの基部に作用するばね部材と、を備えており、
前記ピンボードは、前記収容孔が設けられた下側ピンボードと、前記下側ピンボードの上側に配設され、前記装着孔が設けられた一対の上側ピンボードと、前記一対の上側ピンボードの間に配設された弾性保持部材と、を備え、前記弾性保持部材がゴムボードから構成され、前記ゴムボードが前記一対の上側ピンボードの前記装着孔内に突出しており、
また、前記プローブピンは細長い円筒形のストレート状であり、
前記ゴムボードは前記プローブピンの外周面を弾性的に保持し、前記プローブピンの基部側が前記一対の上側ピンボードの前記装着孔に案内保持されるとともに、その先端側が前記保護ボードの前記案内孔に案内保持されることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、本発明の請求項２に記載のプリント配線板の検査治具では、前記一対の上側ピンボードに設けられた装着孔の内径は実質上等しく、前記ゴムボードの弾性保持部が前記一対の上側ピンボードの前記装着孔内に径方向内方に幾分突出していることを特徴とする。
【手続補正５】
【補正対象書類名】明細書
【補正対象項目名】００１２
【補正方法】変更
【補正の内容】
【００１２】
また、本発明の請求項３に記載のプリント配線板の検査治具では、前記ばね部材はコイルばねから構成され、前記コイルばねにリード線が一体的に設けられていることを特徴とする。
【手続補正６】
【補正対象書類名】明細書
【補正対象項目名】００１３
【補正方法】変更
【補正の内容】
【００１３】
また、本発明の請求項４に記載のプリント配線板の検査治具では、前記ばね部材はコイルばねから構成され、前記コイルばねにリード線が電気的に接触接続され、前記コイルばねに接触する前記リード線の一端部がフランジヘッド状に形成されていることを特徴とする。
【手続補正７】
【補正対象書類名】明細書
【補正対象項目名】００１４
【補正方法】変更
【補正の内容】
【００１４】
また、本発明の請求項５に記載のプリント配線板の検査治具では、前記プローブピンは、細長い円筒状のピン本体と、このピン本体の端部に設けられた小径突部とを備え、前記ピン本体と前記小径突部との間の肩部が、前記コイルばねのためのばね受けとして機能し、前記小径突部が前記コイルばねの端部内周面を支持することを特徴とする。
【手続補正８】
【補正対象書類名】明細書
【補正対象項目名】００１５
【補正方法】変更
【補正の内容】
【００１５】
本発明の請求項１に記載のプリント配線板の検査治具によれば、ピンボードは弾性保持部材を含み、プローブピンが細長い円筒形のストレート状であり、この弾性保持部材がプローブピンの外周面を弾性的に保持するので、このプローブピンの軸方向の移動を許容しながら所要の通りに保持することができ、多数のプローブピンを用いる場合であっても簡単な構成でもってプローブピンを保持することができる。また、プローブピンの基部側がピンボードの一対の上側ピンボードに設けられた装着孔に案内保持されるとともに、その先端側が保護ボードの案内孔に案内保持されるので、プローブピンが軸方向に移動するときにも安定して保持することができる。また、プロープピンが細長い円筒状のストレート状であるので、その交換を簡単且つ容易に行うことができる。更に、弾性保持部材がゴムボードから構成され、このゴムボードが一対の上側ピンボード間に配設されているので、弾性保持部材の構成を簡単にすることができるとともに、このゴムボードを確実に支持することができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、本発明の請求項２に記載のプリント配線板の検査治具によれば、一対の上側ピンボードに設けられた装着孔の内径は実質上等しく、ゴムボードの弾性保持部が一対の上側ピンボードの装着孔内に径方向内方に幾分突出しているので、この弾性保持部によってプローブピンを安定して弾性的に保持することができる。また、ゴムボードの弾性保持部の突出量が少ないので、プローブピンが軸方向に移動したときにもゴムボードの弾性保持部がこの移動方向に弾性変形することがほとんどなく、プローブピンを安定的に支持することができる。
【手続補正１１】
【補正対象書類名】明細書
【補正対象項目名】００１８
【補正方法】変更
【補正の内容】
【００１８】
また、本発明の請求項３に記載のプリント配線板の検査治具によれば、ばね部材はコイルばねから構成され、コイルばねにリード線が一体的に設けられているので、コイルばねに関連する構成を簡単にすることができるとともに、コイルばねとリード線との電気的接触の不良をなくすことができる。
【手続補正１２】
【補正対象書類名】明細書
【補正対象項目名】００１９
【補正方法】変更
【補正の内容】
【００１９】
また、本発明の請求項４に記載のプリント配線板の検査治具によれば、ばね部材はコイルばねから構成され、コイルばねに接触するリード線の一端部がフランジヘッド状に形成されているので、コイルばねとリード線とを半田付けなどをすることなく、このフランジヘッド状の端部を介してコイルばねとリード線とを安定して電気的に接続することができる。
【手続補正１３】
【補正対象書類名】明細書
【補正対象項目名】００２０
【補正方法】変更
【補正の内容】
【００２０】
更に、本発明の請求項５に記載のプリント配線板の検査治具によれば、プローブピンのピン本体と小径突部との間に肩部が設けられ、この肩部がコイルばねのためのばね受けとして機能するので、コイルばねのプローブピンに対する接触状態が安定し、これによってコイルばねの摩耗などが抑えられる。また、プロープピンの小径突部がコイルばねの端部内周面を支持するので、付加が作用したときのコイルばねの端部における座屈の発生が抑えられ、これらによって、コイルばねの寿命を長くすることができる。